(57)【要約】【課題】泡吐出器内で雑菌が発生し難く、衛生的な問題も生じ難い泡吐出器を提供すること。【解決手段】本発明の泡吐出器１は、ポンプヘッド部３が押圧されることにより、抗菌剤入りの内容液８２と空気とが混合され発泡させて吐出するものである。静止状態においては、筒状ピストン部材５１を構成する密着摺動部５１３の下端がシリンダ部４の液導入室１６と間隔ｄを空けて配され、シリンダ部４の空気室１２と液導入室１６とが連通する。ポンプヘッド部３を押圧してポンプヘッド部３が降下し始めてから押圧が開放されて静止状態に復帰するまでの間においては、筒状ピストン部材５１を構成する密着摺動部５１３が、液導入室１６の内周面に沿って密着摺動し、シリンダ部４の空気室１２と液導入室１６とが分断している。【選択図】図１
2016132475.tif 000002
【特許請求の範囲】
【請求項１】
抗菌剤の含有された内容液入りの容器本体の口首部に装着されるベースキャップ部に対して往復動可能に設けられたポンプヘッド部を有し、該ポンプヘッド部が押圧されることにより、加圧された液室から該液室の下流側の混合室に前記内容液を送る第１流路と、加圧された空気室から該空気室の下流側の前記混合室に空気を送る第２流路とを連通し、前記混合室に送られた前記内容液を前記混合室にて前記空気と混合し発泡させて吐出する泡吐出器であって、
前記容器本体の口首部の内側に配置される、大径の前記空気室と該空気室の中央部にて垂下し、前記液室に前記内容液を導入する小径の液導入室とを有するシリンダ部、前記空気室及び前記液導入室に亘って室内を上下動する筒状ピストン部材と該筒状ピストン部材から径方向外側に張り出して設けられて前記空気室の内周面に沿って摺動する摺動ピストン部材とを有するピストン部を備え、
前記ピストン部の前記筒状ピストン部材は、前記シリンダ部の前記空気室の下方部まで延在する外側円筒部と、該外側円筒部の内側に配され該外側円筒部の下端部を越えて延在する内側円筒部と、該内側円筒部の下端部から周方向外方に張り出す密着摺動部とを有し、
前記ポンプヘッド部が押圧されていない状態においては、前記筒状ピストン部材を構成する前記密着摺動部の下端が、前記シリンダ部の前記液導入室と間隔を空けて配され、前記シリンダ部の前記空気室と前記液導入室とが連通しており、
前記ポンプヘッド部を押圧して該ポンプヘッド部が降下し始めてから該ポンプヘッド部の押圧が開放されて該ポンプヘッド部が押圧される前の状態に復帰するまでの間においては、前記筒状ピストン部材を構成する前記密着摺動部が、前記シリンダ部の前記液導入室の内周面に沿って密着摺動し、前記シリンダ部の前記空気室と前記液導入室とが分断している泡吐出器。
【請求項２】
前記シリンダ部の前記空気室には、外気を取込み可能とする逆止弁が設けられており、
前記ポンプヘッド部の押圧が開放されて前記ポンプヘッド部が押圧される前の位置に復帰する際に、前記空気室の内部が負圧となることによって、前記逆止弁が開いて該内部に外気を取込む請求項１記載の泡吐出器。
【請求項３】
前記ポンプヘッド部が押圧されることによって、前記空気室から前記第２流路を介して前記混合室に空気を送ると共に、前記液室から前記第１流路を通って、前記混合室に該内容液を送る請求項１又は２に記載の泡吐出器。
【請求項４】
前記空気室の周面に、前記容器本体の内部と連通する換気口が設けられており、
前記換気口は、前記ポンプヘッド部が押圧されていない状態において、前記摺動ピストン部材における前記空気室の内周面に沿って摺動する外周ピストン部によって前記空気室の内側から覆われている請求項１〜３の何れか１項に記載の泡吐出器。
【発明の詳細な説明】
【技術分野】
【０００１】
本発明は、泡吐出器に関し、特に、容器本体の口首部に取り付けて用いられ、収容された内容液を空気と混合することにより泡状にして吐出する泡吐出器に関する。
【背景技術】
【０００２】
例えば液状の洗浄剤や毛髪剤等を収容し、容器を置いたままの状態でポンプヘッド部を押圧操作することにより、手等による撹拌などを使用者が行うことなく、内容液を泡状にして吐出させるポンプフォーマー容器等の泡吐出器が種々開発されている。例えば特許文献１に記載の泡吐出器は、容器本体の口首部に、内容液を空気と混合することにより泡状にして吐出する泡吐出器が装着された容器である。特許文献１に記載の泡吐出器の備える泡吐出器には、容器本体の口首部に装着されるベースキャップ部に、内容液の吸引、加圧、排出を行うピストン（液ピストン）と、空気の吸引、加圧、排出を行うピストン（エアーピストン）とをそれぞれ同心状の直列配置にして組み入れた単一のシリンダ部からなるポンプが設けられている。特許文献１に記載の泡吐出器は、ベースキャップ部の上方に突出するポンプヘッド部の押し込みによりポンプの各ピストンを作動させ、内容液と空気をそれぞれシリンダ部内で加圧、排出して合流空間で相互に混合し、メッシュリング等の泡生成部材を通過させることで泡状にして内容液を外部に吐出させることができる。
【先行技術文献】
【特許文献】
【０００３】
【特許文献１】特開２００５−２６２２０２号公報
【発明の概要】
【発明が解決しようとする課題】
【０００４】
ポンプフォーマー容器等の泡吐出器は、例えば浴室や洗面台等の水周りで使用される機会が多いため、水に濡れることが多い。特に浴室においては、シャワー等の水が容器に直接かかる場合がある。さらに、ポンプヘッド部は、濡れた手で押すことが多いため、ポンプヘッド部の周囲は水に濡れる機会が多い。そして、特許文献１に記載の泡吐出器は、エアーピストン内への外気の吸入弁として、エアーピストンを構成する部材とは別体のエアーピストンバルブによりエアーピストンを構成する筒状壁に設けた外気導入孔を開放させることによって、外気の吸入を行っている。従って、外気の吸入を行う際、外気導入孔を介して、ポンプヘッド部やベースキャップ部の周囲の水が、外気と共にベースキャップ部の内側のシリンダ部内に吸引される恐れがある。このように、水がシリンダ部内に吸引されると、泡吐出器内で雑菌が発生したり、水が腐敗する恐れがあり、衛生的な問題が生じてしまうことがあり得ると考える。
【０００５】
したがって本発明は、前述した従来技術が有する欠点を解消し得る泡吐出器を提供することにある。
【課題を解決するための手段】
【０００６】
本発明は、抗菌剤の含有された内容液入りの容器本体の口首部に装着されるベースキャップ部に対して往復動可能に設けられたポンプヘッド部を有し、該ポンプヘッド部が押圧されることにより、加圧された液室から該液室の下流側の混合室に前記内容液を送る第１流路と、加圧された空気室から該空気室の下流側の前記混合室に空気を送る第２流路とを連通し、前記混合室に送られた前記内容液を前記混合室にて前記空気と混合し発泡させて吐出する泡吐出器であって、前記容器本体の口首部の内側に配置される、大径の前記空気室と該空気室の中央部にて垂下し、前記液室に前記内容液を導入する小径の液導入室とを有するシリンダ部、前記空気室及び前記液導入室に亘って室内を上下動する筒状ピストン部材と該筒状ピストン部材から径方向外側に張り出して設けられて前記空気室の内周面に沿って摺動する摺動ピストン部材とを有するピストン部を備え、前記ピストン部の前記筒状ピストン部材は、前記シリンダ部の前記空気室の下方部まで延在する外側円筒部と、該外側円筒部の内側に配され該外側円筒部の下端部を越えて延在する内側円筒部と、該内側円筒部の下端部から周方向外方に張り出す密着摺動部とを有し、前記ポンプヘッド部が押圧されていない状態においては、前記筒状ピストン部材を構成する前記密着摺動部の下端が、前記シリンダ部の前記液導入室と間隔を空けて配され、前記シリンダ部の前記空気室と前記液導入室とが連通しており、前記ポンプヘッド部を押圧して該ポンプヘッド部が降下し始めてから該ポンプヘッド部の押圧が開放されて該ポンプヘッド部が押圧される前の状態に復帰するまでの間においては、前記筒状ピストン部材を構成する前記密着摺動部が、前記シリンダ部の前記液導入室の内周面に沿って密着摺動し、前記シリンダ部の前記空気室と前記液導入室とが分断している泡吐出器を提供するものである。
【発明の効果】
【０００７】
本発明の泡吐出器によれば、泡吐出器内で雑菌が発生し難く、衛生的な問題も生じ難い。
【図面の簡単な説明】
【０００８】
【図１】図１は、本発明の好ましい実施形態に係る泡吐出器を容器本体に取り付け、ポンプヘッド部を押圧する前の静止状態の断面図である。
【図２】図２は、本発明の好ましい実施形態に係る、ポンプヘッド部の押圧を開始した直後の状態の断面図である。
【図３】図３は、本発明の好ましい実施形態に係る、ポンプヘッド部を最後まで押圧した状態の断面図である。
【図４】図４は、本発明の好ましい実施形態に係る、ポンプヘッド部の押圧を開放した直後の状態の断面図である。
【発明を実施するための形態】
【０００９】
以下、本発明の泡吐出器を、その好ましい一実施形態に基づき、図１〜図４を参照しながら説明する。
本発明の好ましい一実施形態に係る泡吐出器１（以下、「本実施形態」とも言う。）は、いわゆるポンプフォーマー容器に取り付けて用いるポンプフォーマーであって、従来のポンプフォーマーと同様に、容器本体８の口首部８１に装着されて、内容液８２と空気とを混合することにより泡状にして吐出する機能を備える。本実施形態の泡吐出器１は、図１に示すように、抗菌剤の含有された内容液８２入りの容器本体８の口首部８１に装着されるベースキャップ部２に対して往復動可能に設けられたポンプヘッド部３を有し、該ポンプヘッド部３が押圧されることにより、加圧された液室１１から液室１１の下流側の混合室１３に内容液８２を送る第１流路１４と、加圧された空気室１２から空気室１２の下流側の混合室１３に空気を送る第２流路１５とを連通し、混合室１３に送られた内容液８２を混合室１３にて前記空気と混合し発泡させて吐出する泡吐出器１である。ここで、液室１１とは、内容液８２が導入され、加圧されることによって、導入された内容液８２を下流側に押し出す部分である。また、空気室１２とは、空気が導入され、加圧されることによって、導入された空気を下流側に押し出す部分である。
【００１０】
本実施形態の泡吐出器１は、図１に示すように、容器本体８の口首部８１の内側に配置される、大径の空気室１２と該空気室１２の中央部にて垂下し、液室１１に内容液８２を導入する小径の液導入室１６とを有するシリンダ部４、空気室１２及び液導入室１６に亘って室内を上下動する筒状ピストン部材５１と筒状ピストン部材５１から径方向外側に張り出して設けられて空気室１２の内周面に沿って摺動する摺動ピストン部材５２とを有するピストン部５を備えている。本実施形態の泡吐出器１は、筒状ピストン部材５１と摺動ピストン部材５２とを、それぞれ同心状に一直線上に並べて配置にして組み入れた単一のシリンダ部４を含むポンプ６を有している。そしてベースキャップ部２の上方に突出するポンプヘッド部３の押し込みにより、ポンプ６の筒状ピストン部材５１及び摺動ピストン部材５２を作動させ、内容液８２と空気をそれぞれシリンダ部４内で加圧、排出して、これらをポンプ出力側である下流側に合流空間として設けた混合室１３で混合し、泡生成部材１８にて泡状にしてポンプヘッド部３の吐出口３１から外部に吐出させるものである。
【００１１】
ベースキャップ部２は、本実施形態では、図１に示すように、円環状の天井部２１と、天井部２１の上面から上方に立設する円筒状のガイドステム２２とを有している。天井部２１の外周縁全域から下方に垂下する円筒状の周壁の内面には、容器本体８の口首部８１の外周に周設された螺条と螺合する螺溝が周設されている。このように形成されたベースキャップ部２により、ポンプヘッド部３が、容器本体８の口首部８１に装着される。
【００１２】
ポンプヘッド部３は、本実施形態では、図１に示すように、ベースキャップ部２のガイドステム２２に相対変位可能に挿入される円筒状の中空パイプ３３を有しており、またポンプヘッド部３の上部先端部分には、泡状にした内容液を吐出する吐出口３１を備えている。中空パイプ３３の内部には、吐出口３１に至る発泡流路３２が形成されている。発泡流路３２には、空気と内容液８２とを混合する混合室１３と、混合室１３の下流側に混合液を泡状にする泡生成部材１８とが設けられている。
【００１３】
ポンプヘッド部３は、本実施形態では、図１に示すように、中空パイプ３３の下端部に、後述するように、上部が嵌め込まれて一体として連結された筒状ピストン部材５１を介して、シリンダ部４の液導入室１６に設けられたスプリング部材９１の作用によって、上方に付勢されるようになっている。中空パイプ３３と筒状ピストン部材５１との連結部分、及び筒状ピストン部材５１の構成については、後に詳述する。
【００１４】
シリンダ部４は、本実施形態では、図１に示すように、ベースキャップ部２の天井部２１の周壁よりも内側であって、天井部２１の下面にフランジを介して一体化されており、容器本体８内へ垂下して形成されている。シリンダ部４は、その上方部が大径の空気室１２となっており、空気室１２の中央部において空気室１２の底部から容器本体８の底部付近まで垂下する部分が、液室１１に内容液８２を導入する小径の液導入室１６となっている。
【００１５】
ピストン部５は、図１に示す静止状態において、空気室１２に亘って配置される筒状ピストン部材５１と、筒状ピストン部材５１から径方向外側に張り出して空気室１２の内周面にまで至る摺動ピストン部材５２とを有する。
ピストン部５を構成する筒状ピストン部材５１は、本実施形態では、容器本体８内の内容液８２を筒状ピストン部材５１の内部に形成された液室１１に吸引し、液室１１で加圧して、液室１１から混合室１３に排出を行うものである。筒状ピストン部材５１は、シリンダ部４の空気室１２の下方部まで延在する外側円筒部５１１と、外側円筒部５１１の内側に配され外側円筒部５１１の下端部を越えて延在する内側円筒部５１２と、内側円筒部５１２の下端部から周方向外方に張り出す密着摺動部５１３とを有している。具体的には、図１に示す静止状態において、中空パイプ３３の下方部からシリンダ部４の空気室１２の下方部に亘って配される外側円筒部５１１と、外側円筒部５１１の下方部における内側に配され外側円筒部５１１の下端部を越えて、空気室１２の底部（空気室１２と液導入室１６との境界近傍）まで延在する内側円筒部５１２と、内側円筒部５１２の下端部から周方向（Ｘ方向）外方に液導入室１６の内周面に対応する位置にまで張り出す密着摺動部５１３とを有している。筒状ピストン部材５１は、ポンプヘッド部３の中空パイプ３３の下方部に外側円筒部５１１の上端部が嵌め込まれて一体連結され、外側円筒部５１１の下方部の内周面と内側円筒部５１２の上方部の外周面とが嵌合して一体連結されて形成されている。
【００１６】
ここで、上述したように、ポンプヘッド部３を構成する中空パイプ３３の下方部と、ピストン部５を構成する筒状ピストン部材５１の外側円筒部５１１の上端部とは、嵌め込まれて一体として連結されているが、本実施形態では、図１に示すように、連結部分において、中空パイプ３３の内周面の一部、又は筒状ピストン部材５１の外側円筒部５１１の外周面の一部に、上下方向に延びる凸状リブが周方向に複数形成されている。この複数の凸状リブ間の間隙が、空気通路である第２流路１５の一部となる。
【００１７】
以上のように筒状ピストン部材５１が構成されているため、外側円筒部５１１、内側円筒部５１２及び密着摺動部５１３からなる筒状ピストン部材５１と、ポンプヘッド部３の中空パイプ３３とは、一体となって上下動するようになっている。尚、外側円筒部５１１の下方部は、図１に示すように、その外径が、シリンダ部４の液導入室１６の内径よりも小さくなっている。また、内側円筒部５１２の下端部の密着摺動部５１３は、液導入室１６の内周面に沿って摺動するようになると共に、スプリング部材９１を支持する役割を担う部材である。
【００１８】
本実施形態では、図１に示すように、筒状ピストン部材５１を構成する外側円筒部５１１の上下方向中間部分の内部には、液室１１が形成されており、液室１１とポンプヘッド部３の混合室１３との間には、ボール弁９２が配置されている。また、シリンダ部４の液導入室１６の内部には、筒状ピストン部材５１を構成する密着摺動部５１３よりも下方にスプリング部材９１が配されている。更にスプリング部材９１の内側で、且つ筒状ピストン部材５１を構成する内側円筒部５１２の内側に、液導入室１６の上下方向に延びるポペット弁９３が配されている。
【００１９】
また、本実施形態では、筒状ピストン部材５１の内側円筒部５１２の内側（液室１１側）の内周面には、リブ（図示しない）が周方向に複数個、設けられており、ポペット弁９３の上方部と軽度に嵌合して一体化されている。軽度に嵌合とは、図２に示すように、ポンプヘッド部３の押圧を開始した直後では、筒状ピストン部材５１とポペット弁９３は一体で下方に移動し、ポペット弁９３の下端部が液導入室１６の内壁と接触して、導入流路１９を閉塞した場合には、図３に示す状態まで筒状ピストン部材５１のみが下方に移動し、図４に示すように、ポンプヘッド部３の押圧を開放すると、再び筒状ピストン部材５１とポペット弁９３は一体で上方に移動する程度の接触状態を示す。
【００２０】
また、本実施形態では、図１に示すように、筒状ピストン部材５１の外側円筒部５１１の外周面における、後述する摺動ピストン部材５２のピストン円筒部５２１が装着された部分の下方に、空気流路である第２流路１５を開閉する閉塞用凹状リブ５１４が設けられている。閉塞用凹状リブ５１４は、外側円筒部５１１の外周面から周方向外方に張り出すように突出して当該外周面に沿って円環状に設けられている。筒状ピストン部材５１の閉塞用凹状リブ５１４に、摺動ピストン部材５２のピストン円筒部５２１の下端部を挿入して当接させることにより、空気流路である第２流路１５を、その入口部分において閉塞することが可能になる。
【００２１】
このように構成された筒状ピストン部材５１を備える泡吐出器１は、ポンプヘッド部３が押圧されていない状態、即ち、図１に示す静止状態においては、筒状ピストン部材５１を構成する密着摺動部５１３の下端が、シリンダ部４の液導入室１６の上方に間隔ｄを空けて配され、シリンダ部４の空気室１２と液導入室１６とが連通している。そして、泡吐出器１は、ポンプヘッド部３を押圧してポンプヘッド部３が降下し始めてからポンプヘッド部３の押圧が開放されてポンプヘッド部３が押圧される前の状態（図１の状態）に復帰するまでの間（図２〜図４の間）においては、筒状ピストン部材５１を構成する密着摺動部５１３が、シリンダ部４の液導入室１６の内周面に沿って密着摺動し、シリンダ部４の空気室１２と液導入室１６とが分断している。即ち、前記間隔ｄは、ポンプヘッド部３が押圧されていない図１に示す静止状態においては、形成されているが、ポンプヘッド部３を押圧してから押圧を開放して図１の状態に戻る直前までの間、形成されていない。図１に示す静止状態において、前記間隔ｄは、１ｍｍ〜３ｍｍ程度であることが好ましい。ここで、間隔ｄとは、図１に示す静止状態において、液導入室１６の上方に位置する、大径の空気室１２と該空気室１２の中央部にて垂下する小径の液導入室１６との縮径接続部分１７の内側底壁と、筒状ピストン部材５１を構成する密着摺動部５１３の下端との最短距離を意味する。
【００２２】
次に、ピストン部５を構成する摺動ピストン部材５２は、本実施形態では、外気と容器本体８内の内容液８２とをシリンダ部４の空気室１２に吸引し、空気室１２で加圧して、空気室１２から混合室１３に空気を排出するものである。本実施形態では、摺動ピストン部材５２は、図１に示すように、筒状ピストン部材５１の外側円筒部５１１の外周面に０．１〜０．２ｍｍ程度の隙間を有した状態で相対変位可能に遊嵌するピストン円筒部５２１と、ピストン円筒部５２１の外周面から外方に張り出して円環状に設けられた張出し部５２２と、張出し部５２２の外周先端部分に設けられ、シリンダ部４の空気室１２の内周面に密着状態で摺動可能に接する外周面を備える外周ピストン部５２３とからなる。尚、筒状ピストン部材５１の外側円筒部５１１の外周面と摺動ピストン部材５２のピストン円筒部５２１の内周面との間の隙間が、空気通路である第２流路１５の一部となる。張出し部５２２は、さらに、ピストン円筒部５２１との接合基端部から外方に向って張り出す環状平板部５２２ａと、環状平板部５２２ａの外周縁部から下方に垂下して接合された環状外側壁５２２ｂと、環状外側壁５２２ｂの下端部から径方向外方に向って張り出す外側環状平板部５２２ｃとを含んで構成されている。外側環状平板部５２２ｃの外周縁部には、外周ピストン部５２３が延設されている。
【００２３】
また、本実施形態の泡吐出器１においては、図１に示すように、シリンダ部４の空気室１２には、外気を取込み可能とする逆止弁７が設けられている。詳述すると、摺動ピストン部材５２は、空気室１２に貫通する外気取込み孔５２４を有している。外気取込み孔５２４は、本実施形態では、摺動ピストン部材５２を構成する張出し部５２２の環状平板部５２２ａに設けられている。また、外気取込み孔５２４を下方から覆うようにして、空気室１２には空気バルブ７１が設けられている。空気バルブ７１は、逆止弁７として用いられ、摺動ピストン部材５２の上昇により空気室１２が負圧になって吸引力を生じる際には、吸引力によって空気バルブ７１が開放され、外気取込み孔５２４を介して、ポンプヘッド部３の中空パイプ３３とベースキャップ部２のガイドステム２２との間の隙間を通過した外気が、空気室１２に取り込まれる。すなわち、逆止弁７である空気バルブ７１は、ポンプヘッド部３の押圧が開放されてポンプヘッド部３が上昇し、押圧される前の位置、言い換えれば、図１に示す静止状態の位置に復帰する際に、空気室１２の内部が負圧となることにより開いて、外気を空気室１２に取込み可能とする。
【００２４】
このように外気を取込んだ空気室１２は、図１に示す静止状態においては、筒状ピストン部材５１を構成する密着摺動部５１３の下端と液導入室１６との間に、間隔ｄが形成されるようになっている。その為、摺動ピストン部材５２の上昇により空気室１２が負圧になって吸引力を生じ、ポンプヘッド部３が押圧される前の位置に復帰する直前に形成される間隔ｄを介して内容液８２が、空気室１２と液導入室１６との縮径接続部分１７内に取込まれる。図１に示す静止状態においては、間隔ｄによりシリンダ部４の空気室１２と液導入室１６とが連通しており、縮径接続部分１７内に取込まれた内容液８２と液導入室１６内の内容液８２とが混合可能となっている。
【００２５】
尚、本実施形態の泡吐出器１は、図１に示すように、ポンプヘッド部３の中空パイプ３３の外方に、中空パイプ３３と同心状に配置されたスカート状カバー３４が、中空パイプ３３とベースキャップ部２のガイドステム２２との間の隙間を覆うように設けられている。スカート状カバー３４が設けられていることにより、中空パイプ３３とガイドステム２２との間の隙間を介して外気が吸引される際に、外気の吸引に伴ってこれらの隙間から、外気と共にポンプヘッド部３やベースキャップ部２の周囲の水が空気室１２に流入するのを、相当程度防止することが可能になる。
【００２６】
また、本実施形態の泡吐出器１は、図１に示すように、シリンダ部４の空気室１２の周面に、容器本体８の内部と連通する換気口１２１が設けられている。換気口１２１は、ポンプヘッド部３が押圧されていない状態（非押圧時）において、摺動ピストン部材５２におけるシリンダ部４の空気室１２の内周面に沿って摺動する外周ピストン部５２３によって空気室１２の内側から覆われている。空気室１２の周面に換気口１２１が設けられていることにより、ポンプヘッド部３が押圧される際に、換気口１２１を介して外気を容器本体８に送り込むことで、容器本体８の内部の内容液８２が減少して容器本体８が収縮変形するのを、効果的に回避することが可能になる。また、ポンプヘッド部３が押圧されていない状態（非押圧時）において、換気口１２１が摺動ピストン部材５２の外周ピストン部５２３によって覆われて閉塞されていることにより、例えばポンプフォーマー容器の非使用時に容器が転倒等した際に、内容液８２が換気口１２１を介して容器本体８から空気室１２に流入するのを、効果的に回避することが可能になる。
【００２７】
容器本体８内の内容液８２に含有される抗菌剤としては、例えば安息香酸イソプロピルメチルフェノール、トリクロサン等が挙げられる。抗菌剤としては、これらの中から選ばれた１種、又は２種以上を組み合わせて用いることができる。
【００２８】
以上のように構成された本実施形態の泡吐出器１は、ポンプヘッド部３の押圧が開放されてポンプヘッド部３が押圧される前の位置に復帰する際に、空気室１２の内部が負圧となることによって、逆止弁７が開いて空気室１２の内部に外気を取込むようになる。また、本実施形態の泡吐出器１は、ポンプヘッド部３が押圧されることによって、空気室１２から第２流路１５を介して混合室１３に空気を送ると共に、液室１１から第１流路１４を通って、混合室１３に内容液８２を送るようになる。以下、具体的に、ポンプヘッド部３の押圧と押圧の開放を行うことにより、吐出口３１から泡状になった混合液が吐出される流れを、図１〜図４を用いて説明する。
【００２９】
本実施形態では、図１に示すポンプヘッド部３が押圧されていない押圧前の状態（非押圧時）から、スプリング部材９１の付勢力に抗してポンプヘッド部３を押圧して下方に押し下げれば、筒状ピストン部材５１の外側円筒部５１１と摺動ピストン部材５２のピストン円筒部５２１とが遊嵌状態で装着されており、摺動ピストン部材５２の外周ピストン部５２３とシリンダ部４の空気室１２の内周面との密着力の方が、外側円筒部５１１とピストン円筒部５２１との間の抵抗よりも、抵抗が大きくなっていることから、先ず、図２に示すように、ポンプヘッド部３の中空パイプ３３と共にピストン部５の筒状ピストン部材５１が、ピストン部５の摺動ピストン部材５２に対して相対的に下方にスライド移動する。これに伴って、摺動ピストン部材５２のピストン円筒部５２１の下端部が、筒状ピストン部材５１の閉塞用凹状リブ５１４から離れ、ピストン円筒部５２１の下端部と筒状ピストン部材５１の閉塞用凹状リブ５１４との密着状態が解除されるので、ポンプヘッド部３を構成する中空パイプ３３と筒状ピストン部材５１の外側円筒部５１１との連結部分に形成された複数の凸状リブ、及び筒状ピストン部材５１の外側円筒部５１１と摺動ピストン部材５２のピストン円筒部５２１との遊嵌部分の隙間からなる第２流路１５に、空気を流通させることが可能な状態となる。尚、図２に示すように、ポペット弁９３の下端部が液導入室１６の内壁と接触し、導入流路１９は閉塞されるようになる。
【００３０】
また、本実施形態では、図２に示すように、筒状ピストン部材５１を構成する密着摺動部５１３の下端と液導入室１６の内周面とが当接し、間隔ｄが消滅し、シリンダ部４の空気室１２と液導入室１６とが分断されるようになる。
【００３１】
次に、図３に示すように、ポンプヘッド部３をさらに下方に押圧して押し下げれば、ポンプヘッド部３の中空パイプ３３と共に、ピストン部５の筒状ピストン部材５１及び摺動ピストン部材５２が、一体として下方に押し下げられることになる。これによって、シリンダ部４の空気室１２内の空気が、第２流路１５を介してポンプヘッド部３の中空パイプ３３内に配置された発泡流路３２に向けて排出される。
【００３２】
さらに、図３に示すように、導入流路１９を閉塞したポペット弁９３が残存した状態のまま、筒状ピストン部材５１を構成する密着摺動部５１３が液導入室１６の内周面に沿って摺動し、ポンプヘッド部３の中空パイプ３３と共にピストン部５の筒状ピストン部材５１及び摺動ピストン部材５２が、下方に押し下げられる。これによって、筒状ピストン部材５１の外側円筒部５１１の内部に形成された液室１１内の内容液８２の液圧が高くなり、ボール弁９２が上方に移動して、第１流路１４が連通される。そして、液室１１内の内容液８２が第１流路１４を介して中空パイプ３３内の発泡流路３２に向けて加圧、排出される。
【００３３】
このように排出された内容液８２と空気とが、ポンプヘッド部３の中空パイプ３３内に配置された混合室１３において加圧混合され、加圧混合された混合液が泡生成部材１８を通過して発泡された後に、ポンプヘッド部３の吐出口３１から泡状に吐出される。
【００３４】
ポンプヘッド部３は、図３に示すように、ベースキャップ部２のガイドステム２２の上端部と当接し、ピストン部５を構成する摺動ピストン部材５２の外周ピストン部５２３がシリンダ部４の空気室１２の底部近傍にまで至るまで、すなわち１ストロークの最後まで押圧される。
【００３５】
図３に示すように、ポンプヘッド部３を最後まで押圧したら、ポンプヘッド部３の押圧を開放する。ポンプヘッド部３の押圧を開放すると、摺動ピストン部材５２のピストン円筒部５２１と筒状ピストン部材５１の外側円筒部５１１とが遊嵌状態で装着されていることから、先ず図４に示すように、スプリング部材９１の付勢力によって、ポンプヘッド部３の中空パイプ３３と共にピストン部５の筒状ピストン部材５１が、ピストン部５の摺動ピストン部材５２に対して相対的に上方にスライド移動する。これに伴って、筒状ピストン部材５１の閉塞用凹状リブ５１４が、摺動ピストン部材５２に対して上方に移動するので、摺動ピストン部材５２のピストン円筒部５２１の下端部が、筒状ピストン部材５１の閉塞用凹状リブ５１４の凹部に密着当接され、第２流路１５を介した空気の流通を遮断する。また、ボール弁９２が自重によって下方に移動することにより、ピストン部５を構成する筒状ピストン部材５１の外側円筒部５１１の内部の液室１１が閉塞される。
【００３６】
しかる後に、スプリング部材９１の付勢力によって、ポンプヘッド部３が上方に押し上げられ復帰すると共に、筒状ピストン部材５１及び摺動ピストン部材５２も押し上げられる。これによって、ピストン部５を構成する筒状ピストン部材５１の内部の液室１１が負圧になるので、シリンダ部４の液導入室１６の内部に配されたポペット弁９３が上方に移動する。このようにポペット弁９３が上方に移動することによって、導入流路１９が連通されて、容器本体８内の内容液８２が、液導入室１６の下部に配置された吸引管９４を介して、液導入室１６の内部に吸引供給される。尚、筒状ピストン部材５１を構成する密着摺動部５１３が液導入室１６の内周面に当接しているので、シリンダ部４の空気室１２と液導入室１６とは分断されたままの状態である。
【００３７】
さらに、ポンプヘッド部３が上方に押し上げられ元の位置（図１に示す静止状態の位置）へと復帰すると共に筒状ピストン部材５１及び摺動ピストン部材５２も押し上げられることによって、シリンダ部４の空気室１２が負圧になり、空気室１２に設けられた空気バルブ７１が開放されることで、摺動ピストン部材５２を構成する張出し部５２２の環状平板部５２２ａに設けられた外気取込み孔５２４を介して、外気が空気室１２に取り込まれることになる。
【００３８】
なお、空気室１２に設けられた空気バルブ７１の材質や各部寸法、形状等を適宜選択し、空気バルブ７１の剛性や弾性力を調整することにより、自身の弾性力により常に閉じる方向に付勢されており、空気室１２がある程度の負圧になるまでは、空気バルブ７１が開放しないようになっている。
【００３９】
また、ポンプヘッド部３が上方に押し上げられ元の位置（図１に示す静止状態の位置）に復帰した時点では、空気バルブ７１が閉じており、空気室１２の負圧状態が保たれている。
【００４０】
ここで、本実施形態の泡吐出器１の空気室１２は、図１に示す静止状態においては、筒状ピストン部材５１を構成する密着摺動部５１３の下端と液導入室１６との間に、間隔ｄが形成されるようになっている。その為、摺動ピストン部材５２の上昇によりシリンダ部４の空気室１２が負圧になることによって、容器本体８内の内容液８２が、連通された導入流路１９を通って、ポンプヘッド部３が押圧される前の位置に復帰する直前に形成される間隔ｄを介して、空気室１２と液導入室１６との縮径接続部分１７内に取り込まれることになる。このように間隔ｄを介して内容液８２が縮径接続部分１７内に取込まれても、図１に示す静止状態においては、間隔ｄが開いた状態になっており、シリンダ部４の空気室１２と液導入室１６とが連通しているので、縮径接続部分１７内に取込まれた内容液８２と液導入室１６内の内容液８２とが混合可能となっている。
【００４１】
以上のような操作を繰り返し行うことによって、ポンプヘッド部３の１ストローク毎に、内容液８２と空気との泡状になった混合液が、ポンプヘッド部３の吐出口３１から外部に吐出される。
【００４２】
上述した本発明の一実施形態の泡吐出器１を使用した際の作用効果について説明する。
本実施形態の泡吐出器１は、図１に示す静止状態においては、筒状ピストン部材５１を構成する密着摺動部５１３の下端と液導入室１６との間に、間隔ｄが形成されるようになっている。その為、図４に示す状態から、ポンプヘッド部３の押圧が開放されてポンプヘッド部３が元の位置（図１に示す静止状態の位置）に復帰する際に、シリンダ部４の空気室１２の内部が負圧となることによって、逆止弁７が開いて、外気取込み孔５２４を介して、空気室１２の内部に外気が取込まれると、ポンプヘッド部３或いはベースキャップ部２の周囲に付いた水が、該外気と共にシリンダ部４の空気室１２の内部に吸引されてしまう場合がある。このように、水が外気と共にシリンダ部４の空気室１２の内部に吸引されてしまっても、空気室１２の内部は、間隔ｄが開いた状態になっており、シリンダ部４の空気室１２と液導入室１６とが連通しているので、空気室１２と液導入室１６との縮径接続部分１７内に取込まれた内容液８２と液導入室１６内の内容液８２とが混合可能となっている。このように、空気室１２内に抗菌剤の含有された内容液８２が取り込まれているので、シリンダ部４内の水が腐敗し難く、泡吐出器１内で雑菌が発生し難く、衛生的な問題が生じ難い。また、本実施形態の泡吐出器１は、衛生的な問題が生じ難いように、容器本体８内の内容液８２を利用しているので、構成が簡素となる。このように構成が簡素化すると、泡吐出器１の生産性が向上する。
【００４３】
尚、外気と共にシリンダ部４の空気室１２の内部に吸引された水は、最終的には、ポンプヘッド部３の押圧と押圧の開放を繰り返すことにより、ポンプヘッド部３の吐出口３１から外部に、泡状になった混合液と共に吐出される。
【００４４】
本発明の泡吐出器は、上述の実施形態の泡吐出器１に何ら制限されるものではなく、適宜変更可能である。
【００４５】
例えば、本実施形態の泡吐出器１においては、図１に示すように、密着摺動部５１３の下端が、シリンダ部４の液導入室１６の上方に間隔ｄを空けて配されている。本明細書において、「密着摺動部５１３の下端が、シリンダ部４の液導入室１６と間隔ｄを空けて配されている」とは、前述のように密着摺動部５１３の下端が、シリンダ部４の液導入室１６の上方に間隔ｄを空けて配されている構成以外に、図１に示す静止状態において、液導入室１６の上方部の内周面に溝を設け、間隔ｄを形成する構成も含む意味である。
【００４６】
また、本実施形態の泡吐出器１においては、図１に示すように、ポンプヘッド部３は、シリンダ部４の液導入室１６に設けられたスプリング部材９１の作用によって、上方に付勢されるようになっているが、スプリング部材９１は、液導入室１６に設ける必要はなく、例えば、ポンプヘッド部３の中空パイプ３３を囲うように、ベースキャップ部２の円筒状のガイドステム２２の上部に設けてもよい。
【００４７】
また、本実施形態の泡吐出器１においては、図１に示すように、外気取込み孔５２４が、摺動ピストン部材５２を構成する張出し部５２２の環状平板部５２２ａに設けられているが、環状平板部５２２ａに設ける必要はない。
【符号の説明】
【００４８】
１  泡吐出器
１１  液室
１２  空気室
１２１  換気口
１３  混合室
１４  第１流路
１５  第２流路
１６  液導入室
１７  縮径接続部分
１８  泡生成部材
１９  導入流路
２  ベースキャップ部
２１  天位部
２２  ガイドステム
３  ポンプヘッド部
３１  吐出口
３２  発泡流路
３３  中空パイプ
３４  スカート状カバー
４  シリンダ部
５  ピストン部
５１  筒状ピストン部材
５１１  外側円筒部
５１２  内側円筒部
５１３  密着摺動部
５１４  閉塞用凹状リブ
５２  摺動ピストン部材
５２１  ピストン円筒部
５２２  張出し部
５２２ａ  環状平板部
５２２ｂ  環状外側壁
５２２ｃ  外側環状平板部
５２３  外周ピストン部
５２４  外気取込み孔
６  ポンプ
７  逆止弁
７１  空気バルブ
８  容器本体
８１  口首部
８２  内容液
９１  スプリング部材
９２  ボール弁
９３  ポペット弁
９４  吸引管
ｄ  間隔
【図１】
2016132475.tif 000003
【図２】
2016132475.tif 000004
【図３】
2016132475.tif 000005
【図４】
2016132475.tif 000006